(57)【特許請求の範囲】
【請求項１】
基部と、
前記基部に接続された回転可能な枠と、
前記枠に接続された回転可能なヘッド部と、
を備えるヘッド部可動照明設備であって、
前記ヘッド部が光ビームを発生する少なくとも１つの光源を備え、
前記光ビームの少なくとも一部が光ビーム回折器を通って前記ヘッド部を出て行き、
前記光ビーム回折器が前記ヘッド部の正面に配置され、
前記光ビーム回折器が、
前記光ビームの第１の部分を回折する第１の回折部と、
前記光ビームの第２の部分を回折する第２の回折部と、
を備え、
少なくとも前記光ビームの第２の部分が前記光ビームの第１の部分と異なり、
前記第１の回折部および前記第２の回折部が前記光ビームに対して、および互いに独立に回転可能であり、
前記第１の回折部が第１の軸の周りに回転可能であり、前記第１の軸が前記光ビームの中心軸に対して実質的に平行であり、
前記第２の回折部が第２の軸の周りに回転可能であり、前記第２の軸が前記光ビームの中心軸に対して実質的に平行であることを特徴とする、ヘッド部可動照明設備。
【請求項２】
前記第１の軸または前記第２の軸のうちの少なくとも１つが前記中心軸からずれていることを特徴とする、請求項１に記載のヘッド部可動照明設備。
【請求項３】
第１のアクチュエータは、前記第１の回折部を前記第１の軸の周りに回転するように適合され、第２のアクチュエータは、前記第２の回折部を前記第２の軸の周りに回転するように適合されることを特徴とし、また、前記第１のアクチュエータおよび前記第２のアクチュエータが少なくとも１つのプロセッサによって独立に制御されることを特徴とする、請求項１または２に記載のヘッド部可動照明設備。
【請求項４】
前記第１の回折部および前記第２の回折部は、前記光源から実質的に等距離に配置されることを特徴とする、請求項１〜３のいずれかに記載のヘッド部可動照明設備。
【請求項５】
少なくとも部分的に前記光ビーム中に配置され、かつ、前記光源と少なくとも１つの前記光ビーム回折部との間に配置されるズームレンズを前記ヘッド部が備えることを特徴とする、請求項１〜４のいずれかに記載のヘッド部可動照明設備。
【請求項６】
前記ズームレンズが前記光ビームに沿って移動可能であることを特徴とする、請求項５に記載のヘッド部可動照明設備。
【請求項７】
前記回折部のうち少なくとも１つが円形であり軸受に配置されることを特徴とする、請求項１〜６のいずれかに記載のヘッド部可動照明設備。
【請求項８】
前記回折部のうち少なくとも１つがポリマーフレネルレンズの切り抜きとして実施されることを特徴とする、請求項１〜７のいずれかに記載のヘッド部可動照明設備。
【請求項９】
前記光ビーム回折器が複数の円形フレネル帯を備え、前記複数の円形フレネル帯は前記光ビームの前記中心軸に集中し、前記第１の回折部および前記第２の回折部が前記円形フレネル帯の一部を含む、請求項１〜８のいずれかに記載のヘッド部可動照明設備。
【発明の詳細な説明】
【技術分野】
【０００１】
本発明は、光ビームを発生する少なくとも１つの光源と、少なくとも１つの光ビーム回折器とを備える照明装置に関し、光回折器は、少なくとも部分的に光ビーム内に配置され、少なくとも部分的に光ビームを回折するように適合される。本発明はまた、一般的にエンターテイメント照明において使用されるヘッド部可動照明設備に関する。
【背景技術】
【０００２】
様々な効果を作り出す照明設備は、ライブショー、ＴＶショー、スポーツイベントに関連して、または、建築設備の部分として、あるいはこれらの全てとして、様々な照明効果およびムード照明を作り出すためにエンターテイメント産業において益々使用されてきている。エンターテイメント照明設備は一般に、ビーム幅および広がりを有する光ビームを作成し、例えば輪郭の柔らかな一様な配光の比較的幅広い光ビームを作成するウォッシュ／投光設備、または、対象表面上に映像を投影するように適合させたプロファイル型照明設備であり得る。ライトショーには空中照明効果を組み込むのが一般的である。空中効果は、空気中のもやまたは煙粒子によって部分的に散乱され、これによって観客は空中の光ビームをみることができる、輪郭のはっきりした光ビームを作成することによって作られる。空中の光ビームは大抵、ヘッド部可動照明設備のヘッド部において作成され、ヘッド部は回転可能であり、基部に接続された回転可能な枠に接続されて、その結果、光ビームは、空中を動き回ることができる。今日、このような光ビームを提供可能な多様な製品が数多く存在し（例えば、Ｍａｒｔｉｎ  Ｐｒｏｆｅｓｓｉｏｎａｌｓ  Ａ／Ｓ製のＭＡＣ２５０ＢｅａｍまたはＭＡＣ２０００Ｂｅａｍなど）、これらの多くは、可変ビーム広がりを有する光ビーム、および、可変ビーム直径のものを有する平行ビームの両方、またはいずれか一方を作成できる。
【０００３】
米国特許出願第２０１０／０１０３６７７号は、基部と、通信ポートと、プロセッサと、メモリと、ランプハウジングとを備える劇場照明装置を開示している。ランプハウジングは、ランプと、反射器と、出力レンズと、モータと、均質化レンズとを含む。均質化レンズは、放射状に配列したレンチキュラーレンズから構成され、プロセッサはプログラムされて、モータが出力レンズの位置に関する均質化レンズの位置を変えることができるようにする。均質化レンズは、第１の半分部分と第２の半分部分とから構成されていてもよく、これらそれぞれが複数の放射状に配列したレンチキュラーレンズを有していてもよい。照明装置はまた、光源と出力レンズとの間に配置されたプリズム装置を備える。プリズム装置は、基板に搭載された複数のプリズムから構成される。作動中、入射光線は、基板および各プリズムの基部を通過し、光線の第１の部分は、第１の方向へ屈折し、プリズムの一方の側面から出て、光線の第２の部分は、第２の方向へ屈折し、プリズムの他方の側面から出る。プリズム装置は、プリズム装置をその中心の周りに回転可能とする回転モータに取り付けられ、プリズム装置および回転モータは、主ねじおよび駆動モータに取り付けられて、プリズム装置が光ビーム内に移行可能となるようにする。プリズム装置とポリマーフレネル前方レンズとの組み合わせにより、２つの実質的に分離した出射光ビーム（ツインビームと呼ばれる）を得る。プリズム装置はまた、プリズム装置を前方レンズに対して移動させることができる変位モータに接続される。これによって、２つの分離した光ビームの角度の偏差は制御可能である。ツインビームは、そもそもプリズム装置により作成されたために、互いに従属しており、したがって、ツインビームの特性（例えば、強度、色、広がり、寸法）は、実質的に同じであり得て、独立に制御することはできない。
【発明の概要】
【発明が解決しようとする課題】
【０００４】
本発明の目的は、上述の先行技術に関する限界を解決することである。これは、独立請求項に記載された照明装置、照明設備および方法によって達成される。従属請求項は、本発明の可能な実施形態を記載する。本発明の利点および利益は、本発明の詳細な説明において記載される。
【図面の簡単な説明】
【０００５】
【図１ａ】本発明による照明装置の第１の実施形態を示す図である。
【図１ｂ】本発明による照明装置の第１の実施形態を示す図である。
【図１ｃ】本発明による照明装置の第１の実施形態を示す図である。
【図１ｄ】本発明による照明装置の第１の実施形態を示す図である。
【図２ａ】本発明による照明装置の第２の実施形態を示す図である。
【図２ｂ】本発明による照明装置の第２の実施形態を示す図である。
【図３ａ】本発明による照明装置の第３の実施形態を示す図である。
【図３ｂ】本発明による照明装置の第３の実施形態を示す図である。
【図４ａ】本発明による照明装置の第４の実施形態を示す図である。
【図４ｂ】本発明による照明装置の第４の実施形態を示す図である。
【図４ｃ】本発明による照明装置の第４の実施形態を示す図である。
【図４ｄ】本発明による照明装置の第４の実施形態を示す図である。
【図５】本発明による照明装置を備えるヘッド部可動照明設備を示す図である。
【図６】本発明による照明装置の光回折器の簡易透視図である。
【図７ａ】本発明による光回折器の可能な実施形態を示す図である。
【図７ｂ】本発明による光回折器の可能な実施形態を示す図である。
【発明を実施するための形態】
【０００６】
添付の図面を参照しながら本発明を説明する。図面は、本発明の背景にある原則を説明するものであり、最終的な実施形態をしめす詳細な仕様書としての役割を果たすものではないことが、当業者には理解されよう。実施の際の照明装置は、このため、図示の実施形態とは異なってもよいし、さらなる構成要素を備えていてもよい。
【０００７】
図１ａから図１ｄは、本発明による照明装置の第１の実施形態を示す。図１ａおよび図１ｂは、第１のセッティングにおける照明装置の平面図および断面図をそれぞれ示し、図１ｃおよび図１ｄは、第２のセッティングにおける照明装置の平面図および断面図をそれぞれ示す。
【０００８】
照明装置は、光ビームを発生する光源１０１と、光ビーム内に配置され、光ビームを回折するように適合される光ビーム回折器１０５とを備える。光源により発生される光ビームは、光ビームの境界を表す線１０３ａおよび１０３ｂにより示され、線１０３ｃおよび１０３ｄは、光ビーム回折器１０５によって回折された光ビームの境界を表す。
【０００９】
光ビーム回折器１０５は、光ビームの第１の部分を回折する第１の回折部１０７ａ（点線で示す）と、光ビームの第２の部分を回折する第２の回折部１０７ｂ（点線で示す）とを備える。第１の回折部１０７ａおよび第２の回折部１０７ｂは、互いに独立に光ビームに対して可動である。
【００１０】
矢印１０９ａは、第１の回折部１０７ａが光ビームに対し、回転によって可動であることを表しており、図１ｃに示すように説明された第２のセッティングにおいて、第１の回折部１０７ａは、図１ａの第１のセッティングにおけるその位置に対して約１８０度回転される。その結果、第１の回折部１０７ａは、第１のセッティングにおいて第１の方向、および、セッティングにおいて第２の方向へと光ビームの第１の部分を回折する。第１の光ビームの第２の方向は、図１ｄにおいて、線１１１ａおよび１１１ｂによって示され、これらは、光ビームが第１の回折部１０７ａによって屈折された後の光ビームの第１の部分の境界を表す。
【００１１】
同様に、矢印１０９ｂは、第２の回折部１０７ｂが光ビームに対し、回転によって可動であることを表しており、図１ｃに示すように第２のセッティングにおいて、第２の回折部１０７ｂは、図１ａの第１のセッティングにおけるその位置に対して約１８０度回転される。その結果、第２の回折部１０７ｂは、第１のセッティングにおいて第１の方向、および、第２のセッティングにおいて第２の方向へと光ビームの第２の部分を回折する。第２の光ビームの第２の方向は、図１ｄにおいて、線１１３ａおよび１１３ｂによって示され、これらは、光ビームが第２の回折部１０７ｂによって屈折された後の光ビームの第２の部分の境界を表す。
【００１２】
結果、第１の回折部１０７ａおよび第２の回折部１０７ｂを互いに独立に作動することにより、２つの独立に制御される光ビームが作成可能である。このことは、２つの光ビームの方向が互いに独立に制御可能で、さらに、図１ｂのように単一の光ビームへと一体化することもできるという、新しい刺激的な照明効果を生み出す。図示の実施形態において、２つの独立に制御される光ビームは、円および円錐様の運動を実行する。
【００１３】
光源１０１は、反射器１１５内に配置された放電ランプとして図示され、反射器は、当技術分野で知られるような光ビームを形成するように適合され、当業者は、システムの望ましい光学特性に応じて、発散、集光または平行（図示のような）光ビームを設計し得る。当業者であれば、光ビームを発生可能なあらゆるタイプの光源（例えば、ＬＥＤ、ＯＬＥＤ、プラズマ源など）が使用可能であることを理解する。図示の光源は、例えば、集光し光ビームを形成するＴＩＲレンズと連携するＬＥＤと置き換えてもよい。光源は、複数の光源として実施することもでき、光ビームは、例えば配列として配置された複数のＬＥＤなどの複数の光源からの光を集光／積算することによって形成される。
【００１４】
光ビーム回折器１０５は、フレネルレンズとして図示され、第１の回折部１０７ａおよび第２の回折部は、フレネルレンズを円形に切り抜いたものとして実施される。図示の円板１１７はフレネル帯の縁部を表しており、第１および第２の回折部のフレネル帯は回転可能であることがわかる。１つの実施形態において、前方レンズの第１および第２の回折部を構成していない部分は、不透明材料によって覆うことができる。このことによって、光は第１および第２の回折部のみを通過して、２つの明らかに異なる光ビームが作成される（図１ｃおよび図１ｄの第２のセッティング）。独立の光ビームは、前方レンズが普通のフレネルレンズであるかのように、共通の光ビームへと一体化することもできる（図１ａおよび図１ｂの第１のセッティング）。当業者であれば、前方レンズの第１および第２の回折部を構成していない部分は、これらの部分を不透明材料によって覆う代わりに取り外して、覆いと置き換えることもできることを理解する。
【００１５】
他方、フレネルレンズの第１および第２の回折部を構成していない部分は透明にすることもでき、このことによって、固定の光ビームの中心部分が作られ、２つの独立に制御可能な光ビームは、光ビームの中心に対して動くように適合される。この結果、刺激的な空中効果が得られ、さらにこのことは、新しいズーム技術をも提供できる。それは、２つの制御可能な光ビームを使用し、中心ビームを基準にして外側に向けられたとき、より幅広いビームを提供できるためである。
【００１６】
当業者であれば、光ビーム回折器は、レンズ、反射器、プリズムなどの通常の回折光学部品として代替的に実施可能であり、回折部が、互いに独立に動かすことができる、より小さな部品として製作されることを理解する。
【００１７】
照明装置は、第１の回折部１０７ａを光ビームに対して動かすように適合される第１のアクチュエータ１１９ａもまた備える。図示の実施形態において、第１のアクチュエータは、第１の回折部１０７ａが第１の軸１２１の周りを回転するように適合され、第１の軸は、光ビームの中心軸１２３に対して実質的に平行である。同様に、第２のアクチュエータ１１９ｂは、第２の回折部１０７ｂを光ビームに対して動かすように適合され、第２の回折部１０７ｂを第２の軸１２５の周りにおいて回転可能である。第２の軸は、光ビームの中心軸１２３に対して実質的に平行である。図示の実施形態において、アクチュエータは、回折部の外側周縁部と相互に作用するように適合され、これによって、それぞれの回折部を回転可能とする。第１のアクチュエータおよび第２のアクチュエータは、少なくとも１つのプロセッサ（図示せず）によって独立に制御できる。
【００１８】
図２ａおよび図２ｂは、本発明による照明装置の別の実施形態を示し、図２ａは平面図を示し、図２ｂは断面図を示す。この実施形態において、光ビーム回折器は、４つの回折部２０７ａ〜ｄを備え、これらは４つのアクチュエータ（２つのみを２１９ａ、２１９ｃとして示す）によって、光ビームに対して回転させることができる。アクチュエータは、互いに独立に制御可能であり、このようにして、４つの異なる回折部は互いに独立に回転させることもできる。回折部２０７ａ〜２０７ｄは、図１ａ〜図１ｂと同様、フレネルレンズを円形に切り抜いたものとして実施される。ここにおいて回折部は、前面板２３３に搭載された軸受部（２３１ａ〜２３１ｃ）に搭載される。外側周縁部は、例えば歯車機構を介してアクチュエータ（アクチュエータ２１９ａおよび２１９ｃのみ図示する）と相互に作用する。軸受部は、回転を滑らかにし、摩耗を低減する。この実施形態において、光ビームは、４つの回折部にあたる光量が可能な限り最大となるように最適化される。平面図において、これは点線２３５により示され、入射光ビームの外側周縁部を表す。断面図図２ｂは、回折部２０７ａおよび２０７ｃのそれぞれを介して通過する光ビーム部分２０３ａおよび２０３ｃのみを示し、２つの光ビーム部分が実質的に同じ方向へ回折されるセッティングになされていることがわかる。この実施形態において、アクチュエータは、前面板の中心部分に配置される。
【００１９】
図３ａおよび図３ｂは、図１ａ〜図１ｄの実施形態と同様の実施形態を示す。ここで照明装置は、図１ｃおよび図１ｄのような第２のセッティングにて示されている。この実施形態において、照明装置は、光ビーム中、かつ、光源１０１と光ビーム回折器１０５との間に配置されたズームレンズ３０２を備える。ズームレンズは、光ビームを回折し、アクチュエータ３０６により光ビームの中心軸１２３に沿って（矢印３０４で示す）移動できる。
【００２０】
ズームレンズ３０２は、光源に近接する第１の位置において（実線にて）示される。この位置において光ビームは、ズームレンズ３０２により回折されて、光回折器の大部分に当たるように適合され、このことにより、第１および第２の回折器によって作成される２つの光ビームの幅は、大きい。ズームレンズ３０２’もまた、光ビーム回折器１０５に近接する第２の位置において（実線にて）示され、ズームレンズによって屈折された光ビームは、光ビーム回折器１０５のより小さい部分に当たることになって、第１および第２の回折器は、１１１ａ’および１１３ａに示されるような’より小さい光ビームを作成する。これは、独立に制御される光ビームを発生する方法を生み出し、光学系に熟達した者であれば、ズームレンズおよび光ビーム回折器の屈折力を調節することにより得られる光ビームの広がりおよび幅を設計できる。
【００２１】
図４ａ〜図４ｄは、図１ａ〜図１ｄの実施形態と同様の実施形態を示す。図４ａおよび図４ｂは、第１のセッティングにおける光ビーム回折器１０５の平面図および照明装置の断面図をそれぞれ示す。図４ｃおよび図４ｄは、第２のセッティングにおける光ビーム回折器１０５の平面図および照明装置の断面図をそれぞれ示す。この実施形態において、照明装置は、光ビーム中、かつ、光ビームが光ビーム回折器１０５を通過した下流に配置された前方レンズ４０２を備える。前方レンズ４０２は、光ビーム回折器を出た光ビーム１０３ｃ／１０３ｄ、１１１ａ／１１１ｂおよび１１３ａ／１１３ｂを回折して、出射光ビーム１０３ｃ’／１０３ｄ’、１１１ａ’／１１１ｂ’および１１３ａ’／１１３ｂ’を得る。これは、独立に制御される光ビームを発生する別の方法を生み出し、光学系に熟達した者であれば、前方レンズおよび光ビーム回折器の屈折力を調節することにより得られる光ビームの広がりおよび幅を設計できる。他の実施形態において、様々な照明効果を生み出すため、前方レンズ４０２および光ビーム回折器１０５の両方は、図３ａ〜３ｂに示すズームレンズと同様に、光ビームに沿って移動可能である。
【００２２】
図５は、本発明による照明装置を備えるヘッド部可動照明設備５０１を示す構造図である。ヘッド部可動照明設備５０１は、枠５０５に接続された基部５０３と、枠に支えられたヘッド部５０７とを備える。照明装置は、図１ａ〜図１ｄに示す照明装置と同様であり、光ビームを発生する光源１０１と、光ビーム内に配置され、光ビームを回折するように適合される光ビーム回折器とを備える。光ビーム回折器は、光ビームの第１の部分を回折する第１の回折部１０７ａと、光ビームの第２の部分を回折する第２の回折部１０７ｂとを備える。第１の回折部１０７ａおよび第２の回折部１０７ｂは、互いに独立に光ビームに対して可動である。第１のアクチュエータ１１９ａは、第１の回折部１０７ａが光ビーム対して回転するように適合され、第２のアクチュエータ１１９ｂは、第２の回折部１０７ｂが光ビーム対して回転するように適合される。
【００２３】
複数の照明効果は、光ビーム中に配置され、また、例えば、調光器８１５、ＣＭＹ混色システム５１７、カラーフィルタ５１９、遮光板５２１、絞り（図示せず）、プリズム（図示せず）などの、インテリジェント照明の技術分野で知られるあらゆる照明効果であり得る。
【００２４】
ヘッド部可動照明設備は、例えば、基部に配置されたモータ５２５を用いることによって枠に接続されたシャフト５２３を回転することにより、枠を基部に対して回転する第１の回転手段を備える。ヘッド部可動照明設備はまた、例えば、枠に配置されたモータ８２９を用いることによってヘッド部に接続されたシャフト５２７を回転することにより、ヘッド部を枠に対して回転する第２の回転手段も備える。当業者であれば、回転手段は、例えば、モータ、シャフト、歯車、ケーブル、鎖、変速機システムなどの機械的構成要素を用いる多様な方法で構成できることを理解する。
【００２５】
ヘッド部可動照明設備は、外部の電力供給器（図示せず）から電力５３１を受け取る。電力を適合させて、これを内部の電力供給ライン（図示せず）を介して可動ヘッド部のサブシステムに配給する内部電源供給部５３１により、電力が受け取られる。内部の電力系統は、例えば全てのサブシステムが同じ電力供給ラインに接続される１つのシステムとしてなど、多様な方法で構成できる。しかしながら、当業者であれば、可動ヘッド部におけるいくつかのサブシステムは異なる種類の電力を必要とすること、また、接地ラインもまた含むことができることを理解する。例えば光源は、ほとんどの適用例において、ステップモータおよび駆動回路とは異なる種類の電力を必要とする。
【００２６】
照明設備は、コントローラ５３７もまた備え、これは、少なくとも１つの照明効果変数および少なくとも１つの位置変数を示す入力信号５３９に基づいて、照明設備のその他の構成要素（その他のサブシステム）を制御する。コントローラは、インテリジェントおよびエンターテイメント照明の技術分野で知られるように、例えば、ＤＭＸ、ＡｒｔＮＥＴ、ＲＤＭなどの標準プロトコルを使用することによって、光コントローラ８４１から入力信号を受け取る。照明効果変数は、例えば、光ビームの減光量および調光速さの両方、もしくはいずれか一方、またはＣＭＹ混色システム５１７が混ぜるべき色、またはカラーフィルタシステム５１９が光ビーム中に配置すべきカラーフィルタの種類、または遮光板システム８２１が光ビーム中に配置すべき遮光板の種類、あるいはその組み合わせなどの前記光ビームの照明効果変数のうち、少なくとも１つを表す。照明効果変数は、第１の回折部１０７ａが光ビームに対してどのように動くかを表すこともでき、これによって、ヘッド部可動照明設備は、第１の回折部１０７ａによって作成された光ビームの方向を制御可能である。同様に、照明効果変数は、第２の回折部１０７ｂが光ビームに対してどのように動くかを表すこともできる。コントローラは、アクチュエータ１１９ａ，１１９ｂを介して、また、所望のパターンにて動くようにアクチュエータに指示することにより、第１の回折部および第２の回折部の両方、いずれか一方の位置を制御できる。コントローラは、内部通信ライン８４３（点線で示す）を介して可動ヘッド部の異なるサブシステムに命令および指示を送信するように適合される。内部通信システムは、様々な種類の通信網およびシステムの両方、またはいずれか一方に基づくことができ、図示の通信システムは、例証するための一例にすぎない。
【００２７】
位置変数は、少なくとも基部に対する枠の回転、および、枠に対するヘッド部の回転の両方、またはいずれか一方を表す。位置変数は、例えば、照明設備がビームを向けるべき位置、基部に対する枠の位置、枠に対するヘッド部の位置、基部に対して枠を向ける距離／角度、基部に対してヘッド部を向ける距離／角度などを示すことができる。回転変数は、回転の速さおよび時間を表すこともできる。
【００２８】
可動ヘッド部は、ユーザ入力手段を有することもできて、可動ヘッド部と通信するのに光コントローラ５４１を使用する代わりに、ユーザが直接可動ヘッド部と相互に作用できるようにする。ユーザ入力手段５４５は、例えば、ボタン、ジョイスティック、タッチパッド、キーボード、マウスなどであってもよい。ユーザ入力手段は、ディスプレイ５４７により補助されてもよく、ユーザ入力手段５４７を使用しディスプレイに表示されたメニューを介して、ユーザが可動ヘッド部と相互に作用できるようにする。１つの実施形態において、ディスプレイ装置およびユーザ入力手段は、タッチスクリーンとして一体化してもよい。照明システムは、国際公開公報第２０１１／０２９４４９号として公開され、本明細書の一部として援用する出願人の係属中の国際特許出願ＰＣＴ／ＤＫ２０１０／０５０２３０号に記載されたように、光ビームを形成するために照明効果システムにおいて実施されてもよい。
【００２９】
国際公開公報第２０１１／０２９４４９号による照明効果システムは、照明効果支持部を支持する回転可能な基部支持部を備え、前記照明効果支持部は、光形成手段であって、前記光形成手段が前記光ビームの少なくとも一部分を形成するように適合される光形成手段と、前記光ビームに対して前記光形成手段を移動するように適合される少なくとも１つのアクチュエータとを備える。照明効果システムは、回転可能な電気的接続手段を備え、前記回転可能な電気的接続手段は、前記照明効果支持部を前記基部支持部に対して回転する間、前記照明効果支持部および前記基部支持部の間のエネルギーの伝達を可能にする。
【００３０】
照明装置は、回折部およびそれらのアクチュエータを照明効果支持部に配置することによりこの照明効果システムに一体化されてもよい。その結果、独立に制御される光ビームは、さらなる効果を提供する光ビームの周りを連続／エンドレスに６０度で回転させることもできる。
【００３１】
図６は、図２ａおよび図２ｂに示されるものの１つと同様の照明装置の光回折器６０５の簡易透視図を示す。光回折器６０５は、４つの回折部６０７ａ〜ｄを備え、入射光ビーム（図示せず）に対し、上述のように互いに独立に動かすことができる。それぞれの回折部６０７ａ〜ｄは、入射光ビームの一部を回折することにより独立に制御可能な光ビーム６０４ａ〜ｄを作成する。独立に制御可能な光ビームは、対応する回折部が入射光ビームの中心軸に対して平行な軸の周りに回転されたときに、円および円錐様のパターン（矢印６０６ａ〜ｄで示す）で動く。上述のように、このシステムは、国際公開公報第２０１１／０２９４４９号による光システムにおいて実施することができて、全ての光ビームは、矢印６０８で示されるように、共通の中心軸の周りにさらに回転できるという事実に至る。
【００３２】
図７ａおよび図７ｂは、本発明による照明装置の別の実施形態を示し、図７ａは上面斜視図を示し、図２ｂは底面斜視図を示す。この実施形態において、光ビーム回折器は、４つの回折部７０７ａ〜ｄを備え、これらは４つのアクチュエータ７１９ａ〜ｄによって、光ビームに対して回転させることができる。照明装置は、取付金具７４９を備え、取付金具は、複数の周辺継手７５３ａ〜７５３ｄによって接続された複数の放射状の突出部分を備える。回折部７０７ａ〜ｄは、周辺継手の孔に取り付けられたシャフトに各回折部を接続することにより、周辺継手７５３ａ〜ｄにそれぞれ回転可能に接続される。回折部は、このようにして、周辺継手の孔を通過する軸の周りを回転する。光ビーム（図示せず）は、底部側から回折部７０７ａ〜ｄに当たり、回折部７０７ａ〜ｄは、頂部側で光ビームを異なる方向へ回折する。光ビームの中心は取付金具７４９の中心を通過し、このようにして各回折部は、光ビームの中心軸に対して平行であるが離間した軸の周りに回転できる。アクチュエータ７１９ａ〜７１９ｄは、放射状の突出部分７５１ａ〜ｄ上にそれぞれ配置され、回転可能な継手７５５ａ〜ｄを介して回折部７０７ａ〜ｄにそれぞれ接続される。回転可能な継手により、回折部７０７ａ〜ｄは、アクチュエータの回転軸に垂直な軸の周りで回転できるようになる。回転可能な継手は、例えば、可撓管として、ばねとして、または機械工学で知られる膝継手として実施できる。
【００３３】
照明装置の最上部は、回折部７０７ａ〜ｄの間の領域を覆う上蓋（図示せず）で覆われていてもよく、このようにして、回折部に当たらない光が頂部側から放射されないようにする。
【００３４】
本発明は、２つまたは４つの回折部を備える光回折器を考慮して説明してきた。しかしながら、当業者であれば、本発明は、２つよりも大きい任意の数の回折部で実施できることを理解する。
【図１ａ】
0005624677.tif 000002
【図１ｂ】
0005624677.tif 000003
【図１ｃ】
0005624677.tif 000004
【図１ｄ】
0005624677.tif 000005
【図２ａ】
0005624677.tif 000006
【図２ｂ】
0005624677.tif 000007
【図３ａ】
0005624677.tif 000008
【図３ｂ】
0005624677.tif 000009
【図４ａ】
0005624677.tif 000010
【図４ｂ】
0005624677.tif 000011
【図４ｃ】
0005624677.tif 000012
【図４ｄ】
0005624677.tif 000013
【図５】
0005624677.tif 000014
【図６】
0005624677.tif 000015
【図７ａ】
0005624677.tif 000016
【図７ｂ】
0005624677.tif 000017